(57)【要約】【課題】情報伝達装置を用いた情報の発信及び受信を促進することのできる情報伝達システムを提供する。【解決手段】情報データベース、情報発信者としての発信情報あるいは情報発信者の発信情報に対する評価情報を前記データベースに入力する入力手段及び無線通信装置を備え、前記情報データベースに格納した情報を相互に交信することのできる情報伝達装置ａ，ｂ，ｃ，ｄを管理する情報伝達制御装置１０１４であって、該情報伝達制御装置１０１４は、前記情報伝達装置に対する期限付き発信許可を表す期限付き許可ＩＤ及び前記情報伝達装置利用上の特典を発行し、発行した前記ＩＤ及び特典を前記情報伝達装置に付与するＩＤ発行手段を備え、前記情報データベースに格納された評価情報を集計した集計情報をもとに前記ＩＤ発行手段のＩＤ発行を制御する。【選択図】　　　　図１
2004038467.tif 000002
【特許請求の範囲】
【請求項１】
情報データベース、情報発信者としての発信情報あるいは情報発信者の発信情報に対する評価情報を前記データベースに入力する入力手段及び通信装置を備え、前記情報データベースに格納した情報を相互に交信する情報伝達装置を管理する情報伝達制御装置であって、
該情報伝達制御装置は、前記情報伝達装置に対する期限付き発信許可を表す期限付き許可ＩＤ及び前記情報伝達装置利用上の特典を発行し、発行した前記ＩＤ及び特典を前記情報伝達装置に付与するＩＤ発行手段と、
前記情報データベースに格納された評価情報を集計した集計情報をもとに前記ＩＤ発行手段のＩＤ発行を制御するＩＤ発行制御手段とを備えたことを特徴とする情報伝達制御装置。
【請求項２】
情報データベース、該データベースに格納した情報を送受信する通信装置を備え、前記情報データベースに格納した情報を前記無線通信装置を介して他の情報伝達装置と送受信する情報伝達装置であって、
該情報伝達装置は、情報発信者としての発信情報の前記情報データベースに対する書き込み許可の有無を判定する期限付き許可ＩＤ判定装置と、
前記無線通信装置を介して受信した情報と予め設定した情報選別基準とを比較し、前記選別基準を超える情報を表示する表示装置、及び該表示装置に表示されたサービスを含む取扱商品に対する評価情報を前記データベースに入力する入力手段を備えたことを特徴とする情報伝達装置。
【請求項３】
情報データベース、情報発信者としての発信情報あるいは情報発信者の発信情報に対する評価情報を前記データベースに入力する入力手段及び通信装置を備え、前記情報データベースに格納した情報を相互に交信する情報伝達装置を情報伝達制御装置を用いて管理する情報伝達方法であって、
該方法は、前記情報伝達装置に対する期限付き発信許可を表す期限付き許可ＩＤ及び前記情報伝達装置利用上の特典を発行する工程と、発行した前記ＩＤ及び特典を前記情報伝達装置に付与する工程と、
前記情報データベースに格納された評価情報を集計した集計情報をもとに前記ＩＤ発行手段のＩＤ発行を制御する工程を含むことを特徴とする情報伝達方法。
【請求項４】
請求項３記載の情報伝達方法において、前記特典を複数発行し提供することを特徴とする情報伝達方法。
【請求項５】
情報データベース、該データベースに格納した情報を送受信する通信装置を備え、前記情報データベースに格納した情報を前記無線通信装置を介して他の情報伝達装置と送受信する情報伝達方法であって、
該方法は、前記情報データベースに対する期限付き発信許可を判定する工程と、
前記通信装置を介して受信した情報と予め設定した情報選別基準とを比較し、前記選別基準を超える情報を表示する工程と、前記表示装置に表示されたサービスを含む取扱商品に対する評価情報を前記データベースに入力する工程を有することを特徴とする情報伝達方法。
【発明の詳細な説明】
【０００１】
【発明の属する技術分野】
本発明は情報伝達制御装置及び情報伝達方法にかかり、特に情報の円滑な流通を促進することのできる情報伝達制御装置及び情報伝達方法に関する。
【０００２】
【従来の技術】
図１２は、従来の情報伝達装置を示す図である。図に示すように情報伝達装置１００は、情報を格納するデータベース１０１に対して装置の利用者Ａが発信すべき伝達情報を書き込む書き込み装置１０３、利用者Ａが情報を閲覧する際に使用する表示装置１０４、及び前記情報データベースに格納した伝達情報を発信しあるいは他の情報伝達装置が発信した伝達情報を受信する近距離無線通信装置１０２を備える。
【０００３】
前記伝達情報は、利用者がＡが伝達装置１００に内蔵された書き込み装置１０３を操作して一旦情報データベース１０１に書き込む。前記伝達情報は商品情報、クーポンなどである。次いで、所定時間後に前記利用者Ａが伝達装置１０１を携帯して利用者Ａ’の近傍まで移動すると、前記利用者Ａの伝達装置１００と、利用者Ａ’の伝達装置１００’とは通信可能となる。このような状態となったとき、伝達装置１００内の情報データベース１０１に格納した伝達情報は伝達装置１００’内の情報データベース１０１’に書き込まれ、伝達装置１００’の利用者Ａ’は前記情報を閲覧することが可能となる。
【０００４】
このような操作を繰り返すことにより、前記伝達情報は前記情報伝達装置を介してて口コミのように拡散する。このときの情報の伝達は、伝達装置を持っている人が、たまたま、伝達装置の交信可能範囲に入ることによって行われる。このため、情報の拡散は発信地点近傍に多く拡散することとなる。
【０００５】
また、このとき伝達される情報に制限を付加することができる。例えば、情報の生成時間からの経過時間、あるいは受け取り回数（発信回数）等により、情報の発信を抑止することができる。この種の技術としては、例えば特開２００１−２９２０９４号公報、特開２００１−２９８４０６号公報をあげることができる。
【０００６】
【発明が解決しようとする課題】
前記従来技術においては、情報の発信、受信及び伝達はそれぞれ自由となっている。このため、発信した情報を受信し更に転送してくれる人がいるかどうかは不明である。また、不要な情報ばかり受け取る場合、あるいは必要な情報を取得できない場合が生じることがある。特に不要な情報ばかり受け取り、必要な情報を取得できない場合には情報を伝達しようとする人が減少するため、前記情報伝達装置を用いた情報の拡散の仕組みがうまく動作しない原因となる。また、これら問題は、特に前記情報としてクーポンなどを使用した商業活動の妨げとなる。
【０００７】
本発明はこれらの問題点に鑑みてなされたもので、情報伝達装置を用いた情報の発信及び受信を促進することのできる情報伝達制御装置、情報伝達装置あるいは情報伝達方法を提供する。
【０００８】
【課題を解決するための手段】
本発明は、上記の課題を解決するために次のような手段を採用した。
【０００９】
情報データベース、情報発信者としての発信情報あるいは情報発信者の発信情報に対する評価情報を前記データベースに入力する入力手段及び無線通信装置を備え、前記情報データベースに格納した情報を相互に交信することのできる情報伝達装置を管理する情報伝達制御装置であって、該情報伝達制御装置は、前記情報伝達装置に対する期限付き発信許可を表す期限付き許可ＩＤ及び前記情報伝達装置利用上の特典を発行し、発行した前記ＩＤ及び特典を前記情報伝達装置に付与するＩＤ発行手段を備え、前記情報データベースに格納された評価情報を集計した集計情報をもとに前記ＩＤ発行手段のＩＤ発行を制御する。
【００１０】
【発明の実施の形態】
以下、本発明の実施形態を添付図面を参照しながら説明する。図１は、本発明の実施形態にかかる情報伝達装置を説明する図である。図において、１０５は期限付き許可ＩＤ判定装置であり、後述するように特典提供者Ｅが発行した期限付きで発信を許可する期限付き許可ＩＤの有効性の有無を判定する。なお、図において図１２に示される部分と同一部分については同一符号を付してその説明を省略する。また、ここでは、情報伝達装置として近距離無線装置を例に説明したが、インターネット網、あるいは携帯電話網を利用して情報を交換することも可能である。
【００１１】
図２は、情報伝達装置の処理を説明する図であり、図２（ａ）はＩＤの取得処理を説明するフローチャート、図２（ｂ）はデータベースへの書き込み処理を説明するフローチャートである。
【００１２】
図２（ａ）において、情報発信を希望する者（利用者Ａ）は、まず、特典提供者に期限付許可ＩＤの発行申請を行う。このため、期限付許可ＩＤ発行申請書を作成し（ステップ５００）、作成した期限付許可ＩＤ発行申請書を特典提供者に送付する（ステップ５０１）。特典提供者は、前記期限付許可ＩＤ発行申請書を見て許可するか否かを判断し（ステップ５０２）、許可する場合には、許可をする期限を付加した期限付許可ＩＤを発行し（ステップ５０３）、前記利用者Ａに送付して（ステップ５０４）処理を終了する。
【００１３】
図２（ｂ）において、発信すべき情報の書き込みに際して、期限付許可ＩＤが装置に登録されているか否かを判断し（ステップ５０５）、登録されていない場合は、図２（ａ）に示す手続きにより取得した期限付許可ＩＤを入力する（ステップ５０６）。次いで入力された期限付き許可ＩＤの正否を判断し（ステップ５０７）、正と判断したときは、現時点が期限付き許可ＩＤに示す期限内に含まれるか否かを判断する（ステップ５０８）。ステップ５０７において否と判断したときは処理を終了する。この場合、利用者Ａは、図２（ａ）に示すＩＤの取得処理を実行すればよい。
【００１４】
現時点が期限付き許可ＩＤに示す期限内に含まれる（あるいは現時点が前記期限以前である）場合は、予め前記期限付許可ＩＤに付加された各種クーポン等の特典情報を選択すると共に所定の情報を入力する（ステップ５０９，５０９）。次いで、入力した情報を情報データベース１０１に格納する。
【００１５】
図３は、情報伝達装置の送信処理を説明するフローチャートである。情報伝達装置１００に装備した近距離無線装置１０２は、常に他の伝達装置と交信可能かどうかを確認する（ステップ６００）。交信可能となった場合には、情報データベース１０１の記憶内容を確認し伝達すべき情報があるか否かを判断する（ステップ６０１）。伝達すべき情報が存在する場合には、該情報を送信し（ステップ６０２）、ステップ６００に戻る。ステップ６００において交信可能でない場合、及びステップ６０１において伝達すべき情報が存在しない場合はステップ６００に戻る。
【００１６】
図４は、情報伝達装置の受信処理を説明するフローチャートである。情報伝達装置１００に装備した近距離無線装置１０２は、常に他の伝達装置と交信可能かどうかを確認する（ステップ７００）。交信可能となった場合には、送信側の情報伝達装置１００から送られてくる情報があるか否かを判断する（ステップ７０１）。前記情報が存在する場合には、該情報を受信し、受信した情報を情報データベース１０１に格納する（ステップ７０１〜７０３）。ステップ７００において交信可能でない場合及び前記情報が存在しない場合はステップ７００に戻る。
【００１７】
図５は、情報伝達装置の情報登録閲覧処理を説明するフローチャートであり、図５（ａ）は、情報データベースに格納した情報を選択表示するための選択キーワードを登録する処理を説明するフローチャート、図５（ｂ）は、選択表示した情報に対する評価情報の書き込み処理を説明する図である。
【００１８】
図５（ａ）において、利用者Ａは、例えば「レストラン」等の選択の対象情報を特定するキーワードを入力する（ステップ８００）。次いで、前記対象情報の例えば作成日の始期及び終期を入力する（ステップ８０１、８０２）。次いで、後述する評価レベルを入力する（ステップ８０３）。次いで、これらの情報を通知表示装置１０４へ登録する（ステップ８０４）。
【００１９】
図５（ｂ）において、通知表示装置１０４は、前記対象情報が情報データベースに格納のされているか否かを判断する（ステップ８０５）。情報が格納されている場合には、格納された情報の登録日が、前記作成日の始期及び終期内であるか否かを判断する（ステップ８０６、８０７）。前記格納された情報の登録日が、前記作成日の始期及び終期内である場合には、該情報に付加された該情報の評価レベル情報（点数等で表される）が予め設定したレベル（前記ステップ８０３で入力したレベル）以上であるか否かを判断する（ステップ８０８）。前記評価レベル情報が前記予め設定したレベル以上である場合は通知表示装置１０４にその旨を表示して、あるいは音声等を用いて利用者Ａに通知する（ステップ８０９）。利用者は前記通知のあった情報を閲覧するか否かを判断し（ステップ８１０）、閲覧する場合は前記情報を通知表示装置等の表示装置に表示する（ステップ８１１）。閲覧した後、前記情報を評価するか否かを判断し（ステップ８１２）、評価する場合にはこの評価情報を評価対象情報にリンクして情報データベース１０１に書き込む（ステップ８１３）。なお、前記ステップ８０５，８０６，８０７，８１０，８１２において否と判断した場合にはステップ８０５に戻る。また、前記評価情報は、例えばプラス５段階、マイナス５段階の評価数値とその評価理由からなる。
【００２０】
図６は、情報データベースに格納する情報のデータ形式を説明する図である。前記情報データベースに格納する情報は発信情報と評価情報からなる。発信情報の最初のフィールドには、情報発信者（情報伝達装置の利用者）の氏名が格納される、次のフィールドには、情報発信者に与えられたユニークな番号である情報発信者識別子が格納される。次のフィールドには、情報発信者に与えられた期限付許可ＩＤが格納される。期限付許可ＩＤは、ＩＤの期限を示す数値と識別子で構成されている。次のフィールドには、情報発信者に与えられた許可ＩＤに付随して情報発信者のみに与えられる特別の特典の内容が格納される。次のフィールドには、情報発信者が、発信情報として書き込んだ情報が格納される。次のフィールドには、情報発信者が情報利用者（情報の評価者等）のために特典提供者が提供する特典の中から選択したクーポン等を特定する付加情報を格納する。
【００２１】
一方、評価情報の最初のフィールドには、情報利用者（情報を閲覧して評価情報を書き込んだ利用者）の氏名が格納される、次のフィールドには、情報利用者に与えられたユニークな情報利用者識別子が格納される。次のフィールドには、情報利用者が、受取評価処理を行った際の評価理由が格納される。次のフィールドには、評価数値が格納される。次のフィールドには、評価情報が登録された日時及び位置情報が格納される。位置情報は、情報伝達装置に内蔵したＧＰＳ装置などを通じて入手可能である。最後のフィールドには、受信したクーポン等の特典の使用の有無を表す利用情報を記録する。なお、前記特典の利用情報は、例えばクーポン等の特典を前記特典提供者に提示したとき記録することができる。また、情報利用者が評価を行わない場合には、前記日時及び位置情報のみがに格納され、それ以外には空白が挿入される。
【００２２】
図７は、前記情報伝達装置を用いた情報伝達システムを説明する図である。図において、特典提供者Ｅは、例えばクーポン等の特典を提供し、またシステムの利用者が前記クーポン等を提示したときに現実の特典を提供するクレジットカード会社またはその傘下の小売店等である。また利用者Ａ，Ｂ，Ｃ，Ｄはそれぞれ情報伝達装置ａ，ｂ，ｃ，ｄの利用者であり、例えば前記クレジットカード会社の会員である。
【００２３】
まず、情報発信を行いたい個人会員は、特典提供者に対して、発信の開始のための期限付許可ＩＤ発行申請書１０１１を提出する。特典提供者は、図２のステップ５０２に示す基準に基づいて期限付許可ＩＤを発行する。このとき前記ＩＤと共にクーポン等の特典及び前記特別な特典（例えば常に１０％引きで商品を購入できるパス等）のリスト１０１２を提供する。
【００２４】
利用者Ａが、例えば小売店内あるいは小売店間を移動すると、利用者Ａの情報伝達装置ａは、利用者Ｂの情報伝達装置ｂと交信可能となる。このとき情報伝達装置Ａに格納したクーポン等の特典あるいは利用者Ａの発信情報は情報伝達装置ｂに伝達される。
【００２５】
利用者Ｂの伝達装置Ｂは、前記伝達された情報が予め登録しておいた選択用のキーワードと合致すると該情報を受信した旨を表示する。利用者Ｂは受信した情報を閲覧し評価して、例えば＋５点を与え、情報データベースに格納する。
【００２６】
次いで、利用者Ｂは、情報伝達装置ｂに利用者Ａの発信情報、クーポン及び利用者Ｂの評価情報を格納した状態で移動する。このとき利用者Ｃの情報伝達装置ｃと交信可能となり、前記発信情報、クーポン及び評価情報が伝達される。情報利用者Ｃの情報伝達装置ｃにおいて、選択用のキーワードに利用者Ａが発信した発信情報及び利用者Ｂが記録した評価情報が該当しない場合は利用者Ｃにはなにも通知されない。
【００２７】
次いで、利用者Ｃは、情報伝達装置ｃに利用者Ａの発信情報、クーポン及び利用者Ｂの評価情報を格納した状態で移動する。このとき利用者Ｄの伝達装置ｄの情報伝達装置ｃと交信可能となり、前記発信情報、クーポン及び評価情報が伝達される。このとき、利用者Ｄの選別用のキーワードに前記情報が該当すると、これらの情報は利用者Ｄに伝達される。
【００２８】
利用者Ｄに対して、伝達装置ｄは、前記伝達された情報が予め登録しておいた選択用のキーワードと合致すると該情報を受信した旨を表示する。利用者Ｄは受信した情報を閲覧し評価して、例えば−１点を与え、情報データベースに格納する。
【００２９】
利用者Ｄは、前述のように、例えば過去においてクーポンの対象となる商品を過去に買ったときの印象から悪い評価として−１点を与えた。しかし、その一方で利用者Ｄは悪い評価を与えたもののクーポンが付随しているため、もう一度試してみようかという気になったとする。このとき利用者Ｄは、情報伝達装置ｄを特典提供者Ｅに持ち込み、特典提供者の伝達制御装置１０１４に前記受信した情報を伝達する。特典提供者Ｅは伝達制御装置１０１４を介して、図６に示す評価情報にクーポン利用情報を記入した後、利用者Ｄに前記クーポンに相当する特典を提供する。これにより特典提供者Ｅは、図６に示す利用者Ａの発信情報及び利用者Ｂ，Ｄの評価情報を取得することができ、これをもとに情報の伝達経路（あるいは利用者の移動経路）等の各種情報を取得することができる。
【００３０】
図８は、伝達制御装置の構成を説明する図である。図において、１０５は情報データベースから特定の要件に合致した情報を抽出する情報データベース抽出装置、１０６は情報データベースに格納された情報を基に期限付許可ＩＤを発行する期限付許可ＩＤ発行装置、１０７は特典提供者が受け付けた期限付許可ＩＤ申請を期限付許可ＩＤ発行装置伝達する期限付許可ＩＤ申請受付装置である。なお、図において図１２に示される部分と同一部分については同一符号を付してその説明を省略する。
【００３１】
図９は、情報データベース１０１から所望のデータを抽出する方法を説明する図である。
【００３２】
まず、特典提供者は、情報データベース抽出装置１０５に対して、抽出するキーワードとして、例えば図６に示す項目を指定する（ステップ１３００）。次いで情報データベース抽出装置１０５は、前記キーワードをもとにデータを抽出する（ステップ１３０１）。例えば、前記キーワードとして情報発信者識別子及び評価の数値を設定すれば、該当する情報発信者の発信した情報がどのような評価を受けているかが分かる。例えば、図６の例では、情報発信者識別子「１００００」の発信した情報は、「５−１＝４」の評価を受けていることが分かる。
【００３３】
このような情報は、利用者がクーポンなどの引き替えに来店したとき以外においても特典提供者自身が伝達制御装置を用いることに収集することができる。この場合は、収集場所及び時間を特典提供者が自由に選択できるため、状況に応じた情報収集が可能となる。例えば、ターミナル駅を起点として毎日、隣の駅へ移動して行く利用者を中心としたクーポンの拡散状態を推測することができる。また、情報伝達装置を例えば、駅前の広告塔に設置しておくことにより２４時間の定点観測することが可能となる。
【００３４】
利用者Ｂ，Ｄが記録した評価は、利用者Ｄを経由して利用者Ａの伝達装置ａに格納されることもある。もちろん、更に別の利用者を経由して、伝達されることもある。このとき、利用者Ａは、自身が書き込んだ情報を選択するキーワードを登録しておけば、自分の書いた情報に対する他の利用者の評価を知ることができ、今後の情報発信の参考にすることができる。
【００３５】
更に、特典提供者は、情報データベース抽出装置１０５から得られる情報をもとに、特典提供者に提出したクーポンの数などが所定の基準を超えた利用者に対して、情報発信者になるための期限付許可ＩＤを発行することができる。これにより、利用者として実績のある個人会員を情報発信者に格上げすることで情報利用者に対してインセンティブを与えることもできる。
【００３６】
図１０は、期限付き許可ＩＤの再発行処理を説明する図である。前述のように。期限付き許可ＩＤは期限付きで発信許可を与えるＩＤである。このため、期限が到来した利用者Ａは前記ＩＤの再発行定続きを行わなくてはならない。
【００３７】
まず、期限付許可ＩＤの期限が到来すると（ステップ１２００）、期限付許可ＩＤ発行の申請書を作成し（ステップ１２０１）、作成した申請書を特典提供者に送信する（ステップ１２０２）。期限付許可ＩＤ発行装置１０６は、期限付許可ＩＤ申請受付装置１０７を介して前記前記申請書を受信し、更に情報データベース１０５から再発行のための情報を抽出する（ステップ１２０３）。次いで、再発行を希望する利用者Ａの評価数値などを基に発行基準を満たしているかどうかを判断する（ステップ１２０４）する。
【００３８】
発行基準を満たしている場合には、期限付許可ＩＤを再発行し（ステップ１２０５）、発行した期限付許可ＩＤを利用者Ａに送付する（ステップ１２０６）。
【００３９】
一方、例えば利用者Ｂ，Ｃ，Ｄの評価数値の合計が−５０点というようにステップ１２０４の基準を満たさない場合には、許可ＩＤを再発行しない。これにより利用者Ａは発信権を失うことになる。
【００４０】
図１１は、伝達制御装置による伝達装置からの特典情報の抽出処理を説明する図である。まず、伝達制御装置１０１４は持ち込まれた情報伝達装置の情報データベース１０１の内容を取得し、期限付き許可ＩＤが登録済みがどうかを判断する（ステップ１３００）。次いで期限付許可ＩＤが有効期限内であるか否かを判断する（ステップ１３０１）。次いで、期限付許可ＩＤにより提供される特典を抽出し、抽出した情報を通知表示装置等に表示する。前記ステップ１３００において、登録されていないと判断した場合及びステップ１３０１において有効期限内でないと判断した場合はステップ１３０３に進む。
【００４１】
次いで、使用可能なクーポン情報があるかどうかを判断し（ステップ１３０３）、使用可能なクーポン情報がある場合には該クーポン情報を通知表示装置等に表示する（ステップ１３０４）。
【００４２】
以上説明したように、本実施形態によれば、特典提供者は、提供する特典に相当する高品質の情報が流通することを期待できる。また、情報発信者は、発信する情報に見合った特典を得ることができる。また、情報の利用者は、高品質の情報を継続して受信することができ、更に将来情報発信者となることによる特典を期待することができる。このため情報利用者は、自分に関係ない情報の転送を許容するようになり、近距離通信による情報の拡散を使った情報の流通を促進することができる。
【００４３】
【発明の効果】
以上説明したように本発明によれば、情報伝達装置を用いた情報の発信及び受信を促進することのできる情報伝達システムを提供することができる。
【図面の簡単な説明】
【図１】本発明の実施形態にかかる情報伝達装置を説明する図である。
【図２】情報伝達装置の処理を説明する図である。
【図３】情報伝達装置の送信処理を説明する図である。
【図４】情報伝達装置の受信処理を説明する図である。
【図５】情報伝達装置の情報登録閲覧処理を説明する図である。
【図６】情報データベースに格納する情報のデータ形式を説明する図である。
【図７】情報伝達装置を用いた情報伝達システムを説明する図である。
【図８】伝達制御装置の構成を説明する図である。
【図９】情報データベースから所望のデータを抽出する方法を説明する図である。
【図１０】期限付きＩＤの再発行処理を説明する図である。
【図１１】特典情報の抽出処理を説明する図である。
【図１２】従来の情報伝達装置を示す図である。
【符号の説明】
１００，１００’　情報伝達装置
１０１　情報データベース
１０２　近距離無線装置
１０３　書き込み装置
１０４　表示装置
１０５　期限付き許可ＩＤ判定装置
Ａ，Ｂ，Ｃ，Ｄ　利用者
Ｅ　特典提供者
１０１４伝達制御装置
【図１】
2004038467.tif 000003
【図２】
2004038467.tif 000004
【図３】
2004038467.tif 000005
【図４】
2004038467.tif 000006
【図５】
2004038467.tif 000007
【図６】
2004038467.tif 000008
【図７】
2004038467.tif 000009
【図８】
2004038467.tif 000010
【図９】
2004038467.tif 000011
【図１０】
2004038467.tif 000012
【図１１】
2004038467.tif 000013
【図１２】
2004038467.tif 000014